(57)【要約】【課題】シートパネルの仮係留を行うことなく接合作業を完了させる。【解決手段】シートパネル２２を接合して所定の面積の遮水シートを構成する場合には、各シートパネル２２同士が、接合部材２４、１２４を介して溶接により固定される。接合部材２４、１２４が鋼製であることから、水中溶接により固定することが可能となる。従って、工区・工期を複数に分けて、接合作業が月日を跨いで行われる場合であっても、すべてのシートパネル２２の接合を完了するまでの間、シートパネル２２の少なくとも端縁部をブイなどの浮遊手段を用いて海面下に仮係留させる必要が無くなる。【選択図】図３
2019218718.tif 000002
【特許請求の範囲】
【請求項１】
遮水シートの端縁部を被接合物に固定するための接合構造であって、
前記遮水シートの端縁部から外側へと突出する態様で、前記遮水シートの端縁部に沿って固定される鋼製の接合部材が、前記被接合物との接触範囲の全長にわたり設けられていることを特徴とする遮水シート端縁部の接合構造。
【請求項２】
前記被接合物が、前記接合部材を端縁部に備える遮水シートであり、各遮水シートの前記接合部材同士が溶接により固定されていることを特徴とする請求項１記載の遮水シート端縁部の接合構造。
【請求項３】
前記被接合物が鉛直遮水壁体であり、前記接合部材と前記鉛直遮水壁体の少なくとも表面に配置される鋼製材とが溶接により固定されていることを特徴とする請求項１記載の遮水シート端縁部の接合構造。
【請求項４】
前記各遮水シートの前記接合部材同士が、もしくは、前記接合部材と前記鋼製材とが、更に別の鋼材を介して溶接により固定されていることを特徴とする請求項２又は３記載の遮水シート端縁部の接合構造。
【請求項５】
前記接合部材が、平鋼であることを特徴とする請求項１から４のいずれか１項記載の遮水シート端縁部の接合構造。
【請求項６】
前記接合部材が山形鋼であり、その一方の辺の先端が前記遮水シートの端縁部から外側へと突出し、他方の辺が前記遮水シートの表面から起立する態様で前記遮水シートに固定されていることを特徴とする請求項１から４のいずれか１項記載の遮水シート端縁部の接合構造。
【請求項７】
前記山形鋼からなる接合部材と前記被接合物とで囲まれる領域に、変形追随性遮水材が充填されていることを特徴とする請求項６記載の遮水シート端縁部の接合構造。
【請求項８】
前記変形追随性遮水材がアスファルトマスチックブロックであることを特徴とする請求項７記載の遮水シート端縁部の接合構造。
【請求項９】
前記遮水シートの前記接合部材が固定された領域の内側に、前記遮水シートの端縁部に沿って、前記遮水シートが折り曲げられて管状に仮止めされた管状部が形成されていることを特徴とする請求項１から８のいずれか１項記載の遮水シート端縁部の接合構造。
【請求項１０】
遮水シートの端縁部を被接合物に固定するための接合方法であって、
前記遮水シートの端縁部から外側へと突出する態様で、前記被接合物との接触範囲の全長にわたり前記遮水シートの端縁部に沿って鋼製の接合部材を固定し、
該接合部材を鋼製の被接合物に対して固定することを特徴とする遮水シート端縁部の接合方法。
【請求項１１】
前記被接合物が、前記接合部材を端縁部に備える遮水シートであり、各遮水シートの前記接合部材同士を水中溶接により固定することを特徴とする請求項１０記載の遮水シート端縁部の接合方法。
【請求項１２】
前記被接合物が鉛直遮水壁体であり、前記接合部材と前記鉛直遮水壁体の少なくとも表面に配置される鋼製材とを水中溶接により固定することを特徴とする請求項１０記載の遮水シート端縁部の接合方法。
【請求項１３】
前記各遮水シートの前記接合部材同士を、もしくは、前記接合部材と前記鋼製材とを、更に別の鋼材を介して水中溶接により固定することを特徴とする請求項１１又は１２記載の遮水シート端縁部の接合方法。
【請求項１４】
前記接合部材に、平鋼を用いることを特徴とする請求項１０から１３のいずれか１項記載の遮水シート端縁部の接合方法。
【請求項１５】
前記接合部材に山形鋼を用い、その一方の辺の先端が前記遮水シートの端縁部から外側へと突出し、他方の辺が前記遮水シートの表面から起立する態様で前記遮水シートに固定することを特徴とする請求項１０から１３のいずれか１項記載の遮水シート端縁部の接合方法。
【請求項１６】
前記山形鋼からなる接合部材と前記被接合物とで囲まれる領域に、変形追随性遮水材を充填することを特徴とする請求項１５記載の遮水シート端縁部の接合方法。
【請求項１７】
前記変形追随性遮水材にアスファルトマスチックブロックを用いることを特徴とする請求項１６記載の遮水シート端縁部の接合方法。
【請求項１８】
前記遮水シートの前記接合部材を固定する領域の内側に、前記遮水シートの端縁部に沿って、前記遮水シートを管状に折り曲げ仮止めして管状部を形成することを特徴とする請求項１０から１７のいずれか１項記載の遮水シート端縁部の接合方法。
【発明の詳細な説明】
【技術分野】
【０００１】
本発明は、遮水シートの端縁部の接合構造及び接合方法に関するものである。
【背景技術】
【０００２】
例えば、海底の原地盤が砂質であるような水域に、管理型海面処分場等を造成するケースでは、その水域を隔壁（本説明において、「隔壁」には、鉛直的な構造物のみならず、石材などで法面を形成した上に底面と同様の遮水シートを敷設して側面を遮水・閉鎖する場合も含まれる広い概念である。）によって閉鎖し、閉鎖領域内の水底に遮水シートを敷設する必要がある。遮水シートを敷設する際には、遮水シートの帯状の原反を施工現場に搬入し、原反を並行に複数広げて、遮水シートが所定幅および所定長、つまり所定の面積となるように原反同士を接合している（例えば、特許文献１）。
【先行技術文献】
【特許文献】
【０００３】
【特許文献１】特願２０１７−２３４２８６号明細書
【発明の概要】
【発明が解決しようとする課題】
【０００４】
遮水シートは、例えばポリエチレンやポリ塩化ビニル等の高分子材で構成されており、原反同士の接合作業は、気中（陸上ヤード上若しくは広幅加工台船（艤装した大型平台船）上）において熱溶着により行われる。管理型海面処分場等に遮水シートを敷設する際、例えばその面積が数万ｍ２から数十万ｍ２である場合には、気中にて幅２ｍの原反を並行に並べて接合し、例えば１５００ｍ２の一定寸法（幅Ｗ３０ｍ×長さＬ５０ｍ）の帯状のシートパネルを作成し、このシートパネルを水面に複数枚並べて浮かせ、接合する端縁部同士を海上の小型台船上に引き上げて、溶着により接合することで、管理型海面処分場等の面積の全域にわたる、連続した所定の面積の遮水シートが完成する。
しかしながら、上述のような管理型海面処分場のケースでは、遮水シートの敷設面積が広大であり、遮水シートの接合作業には相当の工数と時間とを要することとなる。例えば、工期が数日から数か月にわたることも、更には、工期を複数に分けて行う場合もある。したがって、すべてのシートパネルの接合を完了するまでの間、シートパネルの少なくとも端縁部をブイなどの浮遊手段を用いて海面上に仮係留させる状態を、長期間維持することが必要となるケースもある。
【０００５】
このような場合には、仮係留の間に荒天に伴う風波の影響を受けて、水中に吊り下げられたシートパネルが損傷する恐れがあり、シートパネルの補修作業が必要となる。また、仮係留に使用されるブイなどの浮遊手段を、シートパネルの面積に応じて多数用いる必要があり、浮遊手段の調達や着脱作業に要する工数やコストは相当なものとなる。併せて、シートパネルの端縁部をシートパネル以外の被接合物、例えば、ケーソン、鋼板セル等の鉛直遮水壁体に固定する際には、異種材料間の遮水性を確保すると共に、異種材料間での接合作業の作業性を、より高めることも課題となっている。
【０００６】
本発明は、上記課題に鑑みてなされたものであり、その目的とするところは、遮水シートの敷設面積が広大であって、所定の面積のシートパネルを作成するための接合作業に相当の日数を要する場合であっても、シートパネルの仮係留を行うことなく接合作業を完了させることを可能にすることにある。併せて、シートパネルの端縁部をシートパネル以外の被接合物を固定する場合においても、異種材料間の遮水性を確保すると共に接合作業の作業性を高めることにある。
【課題を解決するための手段】
【０００７】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００８】
（１）遮水シートの端縁部を被接合物に固定するための接合構造であって、前記遮水シートの端縁部から外側へと突出する態様で、前記遮水シートの端縁部に沿って固定される鋼製の接合部材が、前記被接合物との接触範囲の全長にわたり設けられている遮水シート端縁部の接合構造（請求項１）。
本項に記載の遮水シート端縁部の接合構造は、遮水シートと被接合物との接合に、遮水シートの端縁部から外側へと突出する態様で、遮水シートの端縁部に沿って固定される鋼製（例えば一般構造用圧延鋼材や溶接構造用圧延鋼材等）の接合部材が用いられるものである。そして、この接合部材が遮水シートと被接合物との接触範囲の全長にわたり設けられていることにより、遮水シートと被接合物とがその接触範囲の全長にわたり、鋼製の接合部材を介して接合されるものとなる。なお、接合部材の材質としては、必ずしも鋼製に限定されるものではなく、遮水シートと同等若しくはそれ以上の強度を有し、かつ、水中溶接可能なものであればよい。
【０００９】
（２）上記（１）項において、前記被接合物が、前記接合部材を端縁部に備える遮水シートであり、各遮水シートの前記接合部材同士が溶接により固定されている遮水シート端縁部の接合構造（請求項２）。
本項に記載の遮水シート端縁部の接合構造は、被接合物が、接合部材を端縁部に備える遮水シートであり、並べられた遮水シート（シートパネル）同士がその接触範囲の全長にわたり、夫々の端縁部に固定された接合部材を介して、溶接により固定されてなるものである。例えば、一定面積のシートパネルを接合して所定の面積の遮水シートを構成する場合に、各シートパネル同士が、接合部材を介して溶接により固定されるものとなる。
【００１０】
（３）上記（１）項において、前記被接合物が鉛直遮水壁体であり、前記接合部材と前記鉛直遮水壁体の少なくとも表面に配置される鋼製材とが溶接により固定されている遮水シート端縁部の接合構造（請求項３）。
本項に記載の遮水シート端縁部の接合構造は、被接合物が鉛直遮水壁体（鉛直遮水壁体とは、鋼矢板等の矢板護岸、鋼板セル護岸、ケーソン護岸である。ここにケーソンは表面がコンクリートに覆われているが、接合部には鋼材（平鋼等）が少なくとも表面に配置されるようにコンクリート内に埋め込む、表面に張り付ける等の措置により取り付けられているものとする。）であり、遮水シートと鉛直遮水壁体の鋼製材とが、その接触範囲の全長にわたり、遮水シートの端縁部に固定された接合部材を介して、溶接により固定されてなるものである。例えば、遮水シートの端縁部と鋼板セルとの接合構造として、鋼板セルに鋼製の接合部材が溶接により固定されるものとなる。なお、鋼板セル護岸の気中部分はケーソン護岸と同様に上部コンクリートで覆われた状態となるが、被接合構造体がコンクリートであってもコンクリートの中に鋼材を埋め込み、その一部を表面から突出させることで、またはコンクリート表面に鋼材を貼り付けることで、接合部材とコンクリート表面に配置される鋼製材とが溶接できるように構成する。
【００１１】
（４）上記（２）（３）項において、前記各遮水シートの前記接合部材同士が、もしくは、前記接合部材と前記鋼製材とが、更に別の鋼材を介して溶接により固定されていることを特徴とする請求項２又は３記載の遮水シート端縁部の接合構造（請求項４）。
本項に記載の遮水シート端縁部の接合構造は、上記（２）項の接合構造において各遮水シートの接合部材同士の固定部分に、又は、（３）項の接合構造において接合部材と鋼製材との固定部分に、介在部材として更に別の鋼材を用いることで、この別の鋼材の幅の分だけ、接合部材と非接合物との位置決めの自由度が高まるものとなる。
（５）上記（１）から（４）項において、前記接合部材が、平鋼である遮水シート端縁部の接合構造（請求項５）。
本項に記載の遮水シート端縁部の接合構造は、接合部材が平鋼であることから、上記（２）項のごとく、被接合物が、接合部材を端縁部に備える遮水シートであるような場合には、並べられた遮水シートの、夫々の端縁部に固定された接合部材が、突合せ溶接ないし重ね溶接により固定されてなるものである。又、上記（３）項のごとく、被接合物が鉛直遮水壁体であるような場合には、接合部材の先端が鉛直遮水壁体の鋼製材にすみ肉溶接されてなるものである。
【００１２】
（６）上記（１）から（４）項において、前記接合部材が山形鋼であり、その一方の辺の先端が前記遮水シートの端縁部から外側へと突出し、他方の辺が前記遮水シートの表面から起立する態様で前記遮水シートに固定されている遮水シート端縁部の接合構造（請求項６）。
本項に記載の遮水シート端縁部の接合構造は、接合部材が山形鋼であることから、上記（２）項のごとく、被接合物が、接合部材を端縁部に備える遮水シートであるような場合には、並べられた遮水シートの、夫々の端縁部に固定された接合部材の端縁部から外側へと突出する一方の辺の先端が、他方の接合部材と突合せ溶接ないし重ね溶接により固定されてなるものである。又、上記（３）項のごとく、被接合物が鉛直遮水壁体であるような場合には、接合部材の一方の辺の先端が鉛直遮水壁体の鋼製材にすみ肉溶接されてなるものである。そして、接合部材の他方の辺が遮水シートの表面から起立する態様で遮水シートに固定されていることから、接合部材と被接合部物である遮水シートの接合部材又は鉛直遮水壁体とによって、溝形に囲まれた領域が形成されるものである。
【００１３】
（７）上記（６）項において、前記山形鋼からなる接合部材と前記被接合物とで囲まれる領域に、変形追随性遮水材が充填されている遮水シート端縁部の接合構造（請求項７）。
本項に記載の遮水シート端縁部の接合構造は、山形鋼からなる接合部材と被接合物とで溝形に囲まれる領域に充填される変形追随性遮水材によって、接合部分の遮水性がより高まるものとなる。又、仮に接合部材が被接合部材から分離しても、変形追随性遮水材によって、接合部材と被接合部材との接合部分の遮水性が維持されるものとなる。
【００１４】
（８）上記（７）項において、前記変形追随性遮水材がアスファルトマスチックブロックである遮水シート端縁部の接合構造（請求項８）。
本項に記載の遮水シート端縁部の接合構造は、山形鋼からなる接合部材と被接合物とで溝形に囲まれる領域に配置されるアスファルトマスチックブロックによって、接合部分の遮水性がより高まるものとなる。なお、アスファルトマスチックブロックは、その設置時には自律的に所定のブロック形状を維持するものであることから、山形鋼からなる接合部材と被接合物とで溝形に囲まれる領域に設置される際の作業は、複数のアスファルトマスチックブロックを並べる工程となる。そして、それらのアスファルトマスチックブロックが溝形に追従して変形し、山形鋼とアスファルトマスチックブロックおよびアスファルトマスチックブロック同士が密着して一体化することで溝形内が充填され、接合部分の遮水性が確保されるものとなる。なおアスファルトマスチックブロックは冷やした状態で設置作業を行い、設置後の現場環境温度になじむように昇温されることで自重変形して隙間を埋める特性を元来有している。
【００１５】
（９）上記（１）から（８）項において、前記遮水シートの前記接合部材が固定された領域の内側に、前記遮水シートの端縁部に沿って、前記遮水シートが折り曲げられて管状に仮止めされた管状部が形成されている遮水シート端縁部の接合構造（請求項９）。
本項に記載の遮水シート端縁部の接合構造は、遮水シートが折り曲げられて管状に仮止めされた管状部が、変位追随機能を発揮するものである。例えば、遮水シートが被接合物との接合状態において、地震などにより外力を受けるような場合において、遮水シートの接合部材が固定された領域の内側に、遮水シートの端縁部に沿って形成された管状部が、仮止め状態から解放されることで、遮水シートの破損を防ぐものとなる。特に、被接合物が鉛直遮水壁体であるような場合には、外力を吸収するための変形が鉛直遮水壁体で生じないことから、本構成がより有用に機能するものとなる。
【００１６】
（１０）遮水シートの端縁部を被接合物に固定するための接合方法であって、前記遮水シートの端縁部から外側へと突出する態様で、前記被接合物との接触範囲の全長にわたり前記遮水シートの端縁部に沿って鋼製の接合部材を固定し、該接合部材を鋼製の被接合物に対して固定する遮水シート端縁部の接合方法（請求項１０）。
本項に記載の遮水シート端縁部の接合方法は、上記（１）項記載の遮水シート端縁部の接合構造を構成するための方法であり、上記（１）項と同等の作用が得られるものである。
【００１７】
（１１）上記（１０）項において、前記被接合物が、前記接合部材を端縁部に備える遮水シートであり、各遮水シートの前記接合部材同士を水中溶接により固定する遮水シート端縁部の接合方法（請求項１１）。
本項に記載の遮水シート端縁部の接合方法は、上記（２）項記載の遮水シート端縁部の接合構造を、水中溶接により構成するものである。
【００１８】
（１２）上記（１０）項において、前記被接合物が鉛直遮水壁体であり、前記接合部材と前記鉛直遮水壁体の少なくとも表面に配置される鋼製材とを水中溶接により固定する遮水シート端縁部の接合方法（請求項１２）。
本項に記載の遮水シート端縁部の接合方法は、上記（３）項記載の遮水シート端縁部の接合構造を、水中溶接により構成するものである。
【００１９】
（１３）上記（１１）（１２）項において、前記各遮水シートの前記接合部材同士を、もしくは、前記接合部材と前記鋼製材とを、更に別の鋼材を介して水中溶接により固定する遮水シート端縁部の接合方法（請求項１３）。
（１４）上記（１０）から（１３）項において、前記接合部材に、平鋼を用いる遮水シート端縁部の接合方法（請求項１４）。
（１５）上記（１０）から（１３）項において、前記接合部材に山形鋼を用い、その一方の辺の先端が前記遮水シートの端縁部から外側へと突出し、他方の辺が前記遮水シートの表面から起立する態様で前記遮水シートに固定する遮水シート端縁部の接合方法（請求項１５）。
（１６）上記（１５）項において、前記山形鋼からなる接合部材と前記被接合物とで囲まれる領域に、変形追随性遮水材を充填する遮水シート端縁部の接合方法（請求項１６）。
（１７）上記（１６）項において、前記変形追随性遮水材にアスファルトマスチックブロックを用いる遮水シート端縁部の接合方法。
（１８）上記（１０）から（１７）項において、前記遮水シートの前記接合部材を固定する領域の内側に、前記遮水シートの端縁部に沿って、前記遮水シートを管状に折り曲げ仮止めして管状部を形成する遮水シート端縁部の接合方法。
そして、（１３）から（１８）項の遮水シート端縁部の接合方法は、上記（４）から（９）項記載の遮水シート端縁部の接合構造を構成するための方法であり、上記（４）から（９）項と同等の作用が得られるものである。
【発明の効果】
【００２０】
本発明はこのように構成したので、遮水シートの敷設面積が広大であって、所定の面積のシートパネルを作成するための接合作業に相当の日数を要する場合であっても、シートパネルの仮係留を行うことなく接合作業を完了させることが可能となる。併せて、シートパネルの端縁部をシートパネル以外の被接合物を固定する場合においても、異種材料間の遮水性を確保すると共に接合作業の作業性を高めることが可能となる。
【図面の簡単な説明】
【００２１】
【図１】本発明の実施の形態に係る遮水シート端縁部の接合構造が用いられる、管理型処分場等施設を部分的に断面で示した鳥観図である。
【図２】図１のＡ部拡大図であり、（ａ）は遮水壁がケーソンである場合を、（ｂ）は遮水壁が鋼板セルである場合を示すものである。
【図３】本発明の実施の形態に係る被接合物が遮水シートである場合の接合構造を示す模式断面図であって、（ａ）（ｂ）は接合部材に平鋼が用いられる場合を、（ｃ）（ｄ）は接合部材に山形鋼が用いられる場合を、（ｅ）は介在部材として、更に別の鋼材を用いる場合を示すものである。
【図４】本発明の実施の形態に係る被接合物が、ケーソン、鋼板セル等の鉛直遮水壁体である場合の接合構造を示す模式断面図である。
【図５】本発明の実施の形態に係る遮水シート端縁部の接合構造であって、遮水シートの前記接合部材が固定された領域の内側に、遮水シートが折り曲げられて管状に仮止めされた管状部が形成されている例を示す模式断面図である。
【図６】本発明の実施の形態に係る遮水シート端縁部の接合構造における、遮水シートと接合部材との固定構造の一例を示す模式断面図である。
【図７】（ａ）（ｂ）は図３（ｃ）（ｄ）の例において、変形追随性遮水材にアスファルトマスチックブロックが用いられる場合を示す斜視図である。
【発明を実施するための形態】
【００２２】
以下、本発明を実施するための最良の形態を添付図面に基づいて説明する。
本発明の実施の形態に係る遮水シート端縁部の接合構造及び接合方法は、図１に示されるように、管理型処分場等施設１０に用いられるものである。図１の例では、管理型海面処分場が示されており、この管理型処分場等施設１０は、底面１４と遮水壁１６と傾斜面１８とで構成されている。底面１４と傾斜面１８とは遮水シート２０で連続的に覆われ、遮水シート２０の端縁部２０ａと遮水壁１６とが接合されている。又、遮水シート２０は複数のシートパネル２２を並べて、隣接するシートパネル２２の端縁部２２ａ同士を接合して構成されている。
なお、図１の例では、遮水壁１６は、鉛直遮水壁であり、適宜、鋼矢板、鋼管矢板、箱形矢板、溝付矢板等の矢板式構造や、ケーソンや鋼板セル等の重力式構造によって構成されている。図２は図１のＡ部を拡大図示したものであり、（ａ）は、遮水壁１６がケーソンである場合を、（ｂ）は遮水壁１６が鋼板セルである場合を示している。
【００２３】
ここで、図３を参照しながら、隣接するシートパネル２２の端縁部２２ａ同士を接合し、所定の面積の遮水シート２０を構成するための接合構造及び接合方法について説明する。図３（ａ）（ｂ）の例では、シートパネル２２の端縁部２２ａから外側へと突出する態様で、シートパネル２２の端縁部２２ａに沿って鋼製の接合部材２４が固定されている。この接合部材２４は、被接合物としての（同様の構成を有する）シートパネル２２との接触範囲の全長にわたり設けられている。
そして、各シートパネル２２の接合部材２４同士が溶接（溶接部を符号２６で示す）により固定されている。なお、接合部材２４は、後述するような適切な手法により、シートパネル２２に固定されている。又、シートパネル２２に対する接合部材２４の固定作業は気中で行われる。一方、接合部材２４同士の溶接作業は、シートパネル２２を傾斜面１８および底面１４へと敷設した状態で、気中ないし水中にて行われる。なお、図３（ａ）の例は、平鋼からなる接合部材２４同士が突合せ溶接されているものであり、図３（ｂ）の例は、平鋼からなる接合部材２４同士が重ね溶接されているものである。
【００２４】
一方、図３（ｃ）（ｄ）の例では、平鋼からなる接合部材２４に代えて、山形鋼からなる接合部材１２４が用いられている。この場合、接合部材１２４の一方の辺１２４ａの先端がシートパネル２２の端縁部２２ａから外側へと突出し、他方の辺１２４ｂがシートパネル２２の表面から起立する態様でシートパネル２２に固定されている。そして、図３（ｃ）の例は、接合部材１２４の一方の辺１２４ａ同士が突合せ溶接されているものであり、図３（ｂ）の例は、接合部材２４の一方の辺１２４ａ同士が重ね溶接されているものである。更に、図３（ｃ）（ｄ）の例では、溶接された接合部材１２４で囲まれる、断面溝状の領域３０に、変形追随性遮水材２８、例えばアスファルトマスチック等が充填されている。この例では、アスファルトマスチックは断面溝状の領域３０に充填されたものである。
更に、図３（ｅ）の例では、図３（ａ）（ｂ）の例において、各シートパネル２２の接合部材２４同士が、更に別の鋼材、即ち、介在部材２５としての鋼材を介して溶接により固定されたものである。介在部材２５は、図示の例ではＨ形鋼が用いられ、Ｈ形鋼を構成する一辺が底面１４から露出する態様で、あらかじめ底面１４に設置しておくものである。そして、底面１４から露出する一辺の上面に、接合部材２４が重ね合わされ、各接合部材２４と介在部材２５とが重ね溶接されているものである。なお、介在部材２５としては、各接合部材２４との接合面を有するものであれば、別の形状、例えば溝形鋼、Ｉ形鋼等を用いることとしてもよい。又、図示は省略するが、図３（ｃ）（ｄ）の例においても介在部材２５を用い、山形鋼からなる各接合部材１２４と介在部材２５とを、溶接により固定することも可能である。
【００２５】
続いて、図４を参照しながら、遮水シート２０の端縁部２０ａと遮水壁１６とを接合するための接合構造及び接合方法について説明する。図３（ａ）（ｂ）の例と同様に接合部材に平鋼を用いる場合の説明は割愛する。この場合も、図３（ｃ）（ｄ）の例と同様に、接合部材２２４に山形鋼が用いられる。そして、接合部材２２４の一方の辺２２４ａの先端が遮水シート２０の端縁部２０ａから外側へと突出し、他方の辺２２４ｂが遮水シート２０の表面から起立する態様で遮水シート２０に固定されている。接合部材２２４と遮水壁１６との溶接作業は、気中ないし水中にて行われる。そして、一方の辺２２４ａの先端が遮水壁１６に対してすみ肉溶接（溶接部を符号２６で示す）により固定されている。更に、接合部材２２４と遮水壁１６で囲まれる、断面溝状の領域３２に、図３（ｃ）（ｄ）の例と同様にアスファルトマスチック等の変形追随性遮水材２８が充填されている。
なお、被接合物が図２（ａ）に示されるケーソンのように平壁状である場合には、被接合物としての鋼製材をコンクリート内部から表面に突出させて、接合部材２２４を溶接する、あるいは、コンクリート表面に、平板状あるいは、図３（ｅ）に示した介在部材２５としての鋼材を張り付けるものであり、接合部材２２４は直線状に延びる山形鋼が用いられる。一方、図２（ｂ）に示される鋼板セルのように湾曲壁状である場合には、被接合物と隙間なく密着するように、被接合物と相補的な形状をなして湾曲して伸びる山形鋼を用いることとしてもよく、もしくは、被接合物としての鋼製材を表面から直線状に突出させるあるいは、コンクリート表面に直線状に突出するように鋼材を張り付ける、あるいは、図３（ｅ）に示した介在部材２５としての鋼材を張り付けることで、接合部材２２４に直線状に延びる山形鋼を用いることとしてもよい。
【００２６】
又、図５に示されるように、図３（ａ）（ｂ）の例と同様に、平鋼からなる接合部材２４を用いることとしてもよい。なお、図５の例では、遮水シート２０の接合部材２４が固定された領域の内側に、遮水シート２０の端縁部２０ａに沿って、遮水シート２０が折り曲げられて管状に仮止めされた管状部（タック）２０ｂが形成されている。
ここでいう「仮止め」とは、遮水シート２０が被接合物である遮水壁１６との接合状態において外力を受けるような場合において、遮水シート２０が破損することなく仮止め部２０ｃが外れて管状から解放される程度の固定強度（例えば遮水シート２０には厚さ3mmの遮水シートを用い、仮止め部２０ｃには厚さ1.5mmの同質の遮水シートを用いる。接合部は帯状としても良いし、間隔をあけて部分的に接合してもよい。また遮水シート２０を所定間隔毎に直接接合しても良い。厚さ3mmの遮水シート同士の接合部せん断強さの基準が120N/cm以上であることから、本仮固定部の接合強さは120N/cm未満とする。溶着時の温度を例えば550℃以下とする、もしくは溶着速度を1.0m/min以上とすることで、接合強さを基準より弱くできる）となるように、仮止め部２０ｃが溶着等された状態を意味するものである。
なお、必要に応じて、図５の構造を図４の構造と併用しても良い。
【００２７】
図６には、遮水シート２０（シートパネル２２）に接合部材２４を固定するための構造例が示されている。
まず、遮水シート２０は、少なくとも表面素材が、高分子材（ポリエチレン、ポリ塩化ビニル）や、合成ゴム等の合成樹脂からなる、遮水性を有する柔軟なシート材であり、これらの素材同士は気中において熱溶着により接合することが可能である。接合部材２４には、鉛直遮水壁体である遮水壁１６との溶接が可能な材料が用いられる。そして、遮水シート２０にシール材４０、緩衝材４２を介して接合部材２４が重ねられる。又、図示の例では、接合部材２４が重ねられる側とは反対側（図６では下側）には、接合部材２４に代えて角ワッシャー４４が重ねられる。そして、これらの各部材に形成された貫通孔にボルト４６が挿通され、ボルト４６とナット４８とにより、各部材が密着固定される。図６中には平鋼からなる接合部材２４が示されているが、図３（ｃ）（ｄ）のごとく山形鋼からなる接合部材１２４を用いる場合であっても、同様である。
【００２８】
本実施の形態では、一例として、シール材４０にはアスファルト系ブチルテープが、緩衝材４２にはラバースポンジ（ＥＰＤＭ）が用いられる。又、耐腐食性等を考慮して、角ワッシャー３４、ボルト３６及びナット３８はステンレス合金（ＳＵＳ３０４）製である。そして、ボルト３６及びナット３８を締め付けることによって、シール材４０が遮水シート２０に圧着して、厚みが減少してその減少分がはみだすように変形し、十分な遮水性を発揮するものである。更に、図６の例では、ナット４８と角ワッシャー４４とを、遮水シート２０と同材質の樹脂の押し出し溶着による樹脂被覆部５０により被覆し、遮水性を向上させている（なお、押し出し溶着は同質材間で接合可能であることから、本応用例の実施の際には、ワッシャー４４の被覆のみならず、遮水シート２０とも結合するように、広く押し出し溶着するものとする）。なお、角ワッシャー４４及び角ワッシャー４４と遮水シート２０との間に配置されるシール材４０、緩衝材４２を省略し、ナット４８を直接遮水シート２０に密着させ、樹脂被覆部５０を遮水シート２０と一体化させて、遮水性を確保することとしてもよい。  その他の固定方法として、接合部材２４の表面にあらかじめ気中にて遮水シート２０と同材質の樹脂をコーティングした上で、遮水シート２０をこれと同材質の樹脂の押し出し溶着によって接合することしてもよい。
【００２９】
さて、上記構成をなす本発明の実施の形態によれば、次のような作用効果を得ることが可能となる。
まず、本発明の実施の形態では、遮水シート２０（シートパネル２２）と被接合物（シートパネル２２に固定された接合部材２４、１２４又は遮水壁１６）との接合に、遮水シート２０（シートパネル２２）の端縁部２０ａ（２２ａ）から外側へと突出する態様で、遮水シート２０の端縁部２０ａに沿って固定される鋼製の接合部材２４、１２４、２２４が用いられ、接合部材２４、１２４、２２４が遮水シート２０と被接合物との接触範囲の全長にわたり設けられている。従って、遮水シート２０と被接合物とがその接触範囲の全長にわたり、鋼製の接合部材２４、１２４、２２４を介して固定されるものとなる。
【００３０】
そして、図３に示されるように、シートパネル２２を接合して所定の面積の遮水シート２０を構成する場合には、各シートパネル２２同士が、接合部材２４、１２４を介して溶接により固定されるものとなる。又、図４、図５に示されるように、遮水シート２０の端縁部２０ａとケーソンである遮水壁１６との接合構造としては、遮水壁１６に鋼製の接合部材２２４、２４が溶接により固定されるものとなる。しかも、接合部材２４、１２４、２２４が鋼製であることから、鋼製の被接合物に対して水中溶接により固定することが可能となる。従って、シートパネル２２同士の接合作業を行う場合において、接合するシートパネル２２の端縁部同士を海上の小型台船上に引き上げて、溶着により接合する作業が不要となる。又、処分場の建設を複数の工区に分けて年度ごとに順次施工を行う場合や、隣接工区において連続的に施工が出来ないなど、接合作業が長期にわたって間隔があく場合であっても、すべてのシートパネル２２の接合を完了するまでの間、シートパネル２２の少なくとも端縁部をブイなどの浮遊手段を用いて海面下に仮係留させる必要が無くなることとなる。よって、仮係留の間に荒天に伴う風波の影響を受けて、水中に吊り下げられたシートパネル２２が損傷する恐れもなく、シートパネル２２の補修作業も不要となる。また、浮遊手段の調達や着脱作業に要する工数やコストも削減できる。併せて、シートパネル２２の端縁部を遮水壁１６に固定する際には、異種材料間の遮水性を確保すると共に、作業性をより高めることも可能となる。
【００３１】
又、図３（ａ）（ｂ）に示されるように、接合部材２４が平鋼である場合には、並べられたシートパネル２２の、夫々の端縁部に固定された接合部材２４が、突合せ溶接ないし重ね溶接により固定されることで、上記作用効果を奏するものとなる。
又、図３（ｃ）（ｄ）のごとく、接合部材１２４が山形鋼である場合には、並べられたシートパネル２２の、夫々の端縁部２２ａに固定された接合部材１２４の端縁部２２ａから外側へと突出する一方の辺１２４ａの先端が、他方の接合部材１２４の一方の辺１２４ａの先端と突合せ溶接ないし重ね溶接により固定される。一方、図４に示されるように、被接合物が遮水壁１６であるような場合には、接合部材２２４一方の辺２２４ａの先端が遮水壁１６にすみ肉溶接されてなるものである。そして、接合部材１２４、２２４の他方の辺１２４ｂ、２２４ｂが遮水シート２０（シートパネル２２）の表面から起立する態様で遮水シート２０に固定されていることから、対向する接合部材１２４、又は接合部材２２４と遮水壁１６とによって溝形に囲まれた領域３０、３２が形成されるものである。
そして、山形鋼からなる接合部材１２４、２２４と遮水壁１６とで溝形に囲まれる領域３０、３２に充填される変形追随性遮水材２８によって、接合部分の遮水性をより一層高めることが可能となる。又、仮に接合部材１２４、２２４が被接合部材（接合部材１２４、遮水壁１６）から分離しても、変形追随性遮水材２８によって、接合部材１２４、２２４と被接合部材（接合部材１２４、遮水壁１６）との接合部分の遮水性が維持されるものとなる。
【００３２】
なお、アスファルトマスチックは比較的高価な材料であることから、その使用量は可能な限り少なく抑えることが望ましい。従来、アスファルトマスチックを用いてシートパネル２２の接合部の遮水性を確保する場合には、接合部の周囲を広範囲にわたりアスファルトマスチックで覆っているが、本発明の実施の形態によれば、図３（ｃ）（ｄ）のごとく、アスファルトマスチック３０を断面溝状の領域３０にのみ充填することで、必要な遮水性が確保されることとなる。又、図３（ｃ）の突合せ溶接の例よりも図３（ｄ）の重ね溶接の例のほうが、断面溝状の領域３０の断面積が狭くなり、アスファルトマスチック等変形追随性遮水材２８の使用量が、より削減されるものとなる。例えば、アスファルトマスチックの設計上の必要厚みは５０ｃｍ以上とされているが、アスファルトマスチックの透水係数からすれば、５ｃｍ以上の厚みで一定の遮水機能を発揮することが可能となる。
又、変形追随性遮水材２８として、図７（ａ）（ｂ）に示されるように、アスファルトマスチックブロック１２８を用いることとしてもよい。なお、アスファルトマスチックブロック１２８は、その充填時には自律的に所定のブロック形状を維持するものであることから、山形鋼からなる接合部材１２４同士で溝形に囲まれる領域３０に充填される際の作業は、複数のアスファルトマスチックブロック１２８を、一つずつ並べることにより行うことができる。そして、それらのアスファルトマスチックブロック１２８が溝形に追従して変形することで、接合部分のより一層の遮水性が確保されるものとなる。なお、アスファルトマスチックブロック１２８は、図４の例においても採用可能である。
【００３３】
又、図３（ｅ）に例示されるように、各遮水シートパネル２２の接合部材２４同士の固定部分に、介在部材２５として、更に別の鋼材を介することで、介在部材２５の幅の分だけ、各接合部材２４同士の位置決めの自由度が高まり、余裕をもって位置決めを行うことが可能となる。この作用効果は、図３（ｃ）（ｄ）の例や、図４、図５の例においても、介在部材２５を用いることで同様に得られるものである。
加えて、図５に示されるように、遮水シート２０が折り曲げられて管状に仮止めされた管状部２０ｂを形成することで、この管状部２０ｂが変位追随機能を発揮するものとなる。例えば、遮水シート２０が遮水壁１６との接合状態において地震などにより外力を受けるような場合において、遮水シート２０の接合部材２４が固定された領域の内側で、管状部２０ｂが仮止め状態から解放されることで、遮水シート２０の破損および溶接部２６の破断を防ぐことが可能となる。特に、被接合物が遮水壁１６等の鉛直遮水壁体であるような場合には、遮水壁１６側で外力を吸収するための変形が生じなくとも、また遮水壁１６が外側に変形する場合においても、管状部２０ｂが変位追随機能を発揮することから、本構成がより有用に機能するものとなる。
【００３４】
なお、本発明の実施の形態では、管理型海面処分場１０の施工現場において、遮水シート２０を施工する場合を例示して説明したが、これと同様に、遮水シート２０の敷設面積が広大であり、遮水シートの接合作業に相当の工数と時間とを要する施設において、本発明が同様に適用可能であることは、理解されるであろう。又、本発明は、遮水シート２０が水中（水底）に敷設される場合に限らず、気中に敷設される場合においても適用可能であることも理解されるであろう。
【符号の説明】
【００３５】
１０：管理型海面処分場、１４：隔壁、１６：遮水壁、１８：傾斜面、２０：遮水シート、２０ａ：（遮水シートの）端縁部、２０ｂ：管状部、２０ｃ：仮止め部、２２：シートパネル、２２ａ：（シートパネルの）端縁部、２４、１２４、２２４：接合部材、２５：介在部材、２６：溶接部、２８：変形追随性遮水材、３０、３２：断面溝状の領域、１２８：アスファルトマスチックブロック
【図１】
2019218718.tif 000003
【図２】
2019218718.tif 000004
【図３】
2019218718.tif 000005
【図４】
2019218718.tif 000006
【図５】
2019218718.tif 000007
【図６】
2019218718.tif 000008
【図７】
2019218718.tif 000009